【事件の表示】
　特願２００３−２６５１０号「コネクタ」拒絶査定不服審判事件〔平成１６年２月１９日出願公開、特開２００４−５５５１３号〕について、次のとおり審決する。
【結　論】
　本件審判の請求は、成り立たない。
【理　由】
１．手続の経緯 
　本願は、平成１４年７月２３日に出願した特願２００２−２１３６３６号の一部を平成１５年２月３日に新たな出願としたものであって、平成１９年９月２１日付けで拒絶査定がなされ（同年１０月２日発送）、これに対し、同年１１月１日に拒絶査定不服審判の請求がなされ、同年１１月２６日付けで手続補正がなされた。そして、当審において平成２１年１２月４日付けの補正の却下の決定により平成１９年１１月２６日付け手続補正は却下され、同日付けで拒絶の理由が通知され（同年１２月８日発送）、これに対して、平成２２年２月１日付けで意見書が提出されるとともに手続補正がなされたものである。
　
２．本願発明  
　本願の請求項１に係る発明（以下「本願発明」という。）は、平成２２年２月１日付け手続補正書により補正された特許請求の範囲の請求項１に記載された次の事項により特定されるものである。
　
　「コネクタハウジングには、端子金具を挿入可能なキャビティが設けられ、このキャビティ内には、挿入される端子金具に係止可能なランスが設けられているものにおいて、
　前記キャビティの前端部のうち前記ランスとの対向面には、キャビティ内に挿入される前記端子金具をランス側へ押し出して同ランス側に変位させるための張出部が設けられ、この張出部はこれより後方の壁面から連続して形成され、同後方の壁面の高さ位置から徐々にランス側へ向けてテーパー状に張り出し、かつその張り出し幅が前記対向面の全幅に亘るようにして設けられており、
　前記端子金具のうち前記ランスに対向する外壁は、その内側に位置する天井壁の外側に重ね合わされることによって形成されるとともに、前記外壁には、前記ランスが進入するのを許容する切欠部が形成され、かつ、この切欠部における前側の切断端縁には叩き出しにより係止突部が外側へ突出して形成されることで、前記ランスが前記切欠部内に進入したときに前記ランスは前記係止突部と前記切欠部における前側の切断端縁に係止可能であることを特徴とするコネクタ。」
　
３．引用例の記載事項
　当審の拒絶の理由に示された、本願の原出願の出願前に頒布された特開２００２−１９０３４２号公報（以下「引用例１」という。）には、次の事項が記載されている。 
　
（１−ア）「本実施形態のコネクタは、コネクタハウジング１０と端子金具２０とを備えて構成される。以下の説明において、前後方向については図１における左側を前側とし、上下方向については図１を基準とする。コネクタハウジング１０は合成樹脂材料からなり、その内部には前後方向に長いキャビティ１１が形成されている。このキャビティ１１内には、その後端の端子挿入口１２から端子金具２０が挿入される。キャビティ１１内には、その下面壁２６に概ね沿うように端子金具２０の挿入方向（以下、端子挿入方向という）と同じ方向である前方へ片持ち状に延出する形態の樹脂ランス１３が形成されている。」（段落【００１０】）
　
（１−イ）「端子金具２０は、その略前半部分に角筒状の箱部２１を形成するとともに、略後半部分に電線圧着部２２を形成したものである。箱部２１は、上面壁２３の左右両側縁から一対の側壁２４，２５を下向きに延出させ、一方の側壁２４の下端縁から下面壁２６（本発明の構成要件である壁部）を水平内向きに延出させるとともに、他方の側壁２５の下端縁から補強壁２７を水平内向きに延出させて上面壁２６の内面（上面）に重ね合わせた形態とされている。
　かかる下面壁２６には、その前後方向におけるほぼ中央部分を切除した形態の切欠部２８が形成されている。切欠部２８は、図５に示すように、下面壁２６の全幅領域に亘って形成されており、したがって、この切欠部２８においては補強壁２７が露出した状態となっている。この切欠部２８の前側の切欠面２９は、左右方向、即ち端子挿入方向に対して直交する方向へ直線状に延びている。また、下面壁２６における前側部分には、その略後半部分における幅方向中央部を打ち出し加工することにより、抜止め突起３０が下方（外側）へ突出するように形成されている。抜止め突起３０は、下面壁２６に連なるとともに下面壁２６から後方に延び且つ後方に向かって突出寸法が増大する稜線３１を有している。また、抜止め突起３０の後端の係止面３２は、切欠部２８の前側の切欠面２９に対して面一状に連続しているとともに、補強壁２７の下面から端子挿入方向に対して直交する方向に突出している。」（段落【００１２】〜【００１３】）
　
（１−ウ）「そして、端子金具２０が正規挿入位置に到達すると、図８に実線で示すように樹脂ランス１３の延出端１３Ａがテーパ面３４の後端に達し、そのテーパ面３４から外れることになる。テーパ面３４から外れた延出端１３Ａは、樹脂ランス１３の弾性復元力により斜め上後方（端子金具２０の挿入方向に対して斜めの方向）へ復帰変位し、図８に鎖線で示す自由状態に復帰する。このとき、延出端１３Ａは抜止め突起３０から後方へ変位する。
　この状態では、樹脂ランス１３の前端面１３Ｃが抜止め突起３０の係止面３２及び切欠面２９に対して後方から対向するため、端子金具２０が後方へ変位しても、その樹脂ランス１３に係止面３２及び切欠面２９が係止することによって端子金具２０のそれ以上の後方への変位が規制され、もって、端子金具２０が抜止め状態に保持される。」（段落【００１７】〜【００１８】）
　
　上記記載事項について検討すると、記載（１−ア）及び図１によれば、「コネクタハウジング１０には、端子金具２０を挿入可能なキャビティ１１が設けられ、このキャビティ１１内には、挿入される端子金具２０に係止可能な樹脂ランス１３が設けられているコネクタ。」が示されているといえる。
　
　また、記載（１−イ）、（１−ウ）及び図２〜８によれば、「端子金具２０のうち樹脂ランス１３に対向する下面壁２６は、その内側に位置する補強壁２７の外側に重ね合わされることによって形成されるとともに、前記下面壁２６には、前記樹脂ランス１３が進入するのを許容する切欠部２８が形成され、かつ、この切欠部２８における前側の切欠面２９には打ち出し加工により抜止め突起３０が外側へ突出して形成されることで、前記樹脂ランス１３が前記切欠部２８内に進入したときに前記樹脂ランス１３は前記抜止め突起３０と前記切欠部２８における前側の切欠面２９に係止可能であること。」が示されているといえる。
　
　したがって、上記記載（１−ア）〜（１−ウ）の記載事項及び図示内容を総合し、本願発明の記載ぶりに則って整理すると、引用例１には、次の発明（以下「引用発明」という）が記載されているといえる。
　
　「コネクタハウジング１０には、端子金具２０を挿入可能なキャビティ１１が設けられ、このキャビティ１１内には、挿入される端子金具２０に係止可能な樹脂ランス１３が設けられているものにおいて、
　前記端子金具２０のうち前記樹脂ランス１３に対向する下面壁２６は、その内側に位置する補強壁２７の外側に重ね合わされることによって形成されるとともに、前記下面壁２６には、前記樹脂ランス１３が進入するのを許容する切欠部２８が形成され、かつ、この切欠部２８における前側の切欠面２９には打ち出し加工により抜止め突起３０が外側へ突出して形成されることで、前記樹脂ランス１３が前記切欠部２８内に進入したときに前記樹脂ランス１３は前記抜止め突起３０と前記切欠部２８における前側の切欠面２９に係止可能であるコネクタ。」
　
　同じく当審の拒絶の理由に示された、本願の原出願の出願前に頒布された特開２０００−５８１８０号公報（以下「引用例２」という）には、図面と共に次の事項が記載されている。
　
（２−ア）「このコネクタ１（図４）は、合成樹脂製のコネクタハウジング２と、コネクタハウジング２の前部において端子収容室３を画成する合成樹脂製のフロントホルダ４と、端子収容室３に後方から挿入される雌型の端子５と、コネクタハウジング２の下方から端子収容室３と直交して挿入される合成樹脂製の端子係止用のスペーサ６とで構成される。」（段落【０００８】）
　
（２−イ）「各隔壁１４１，１４２の前方には、斜め前方上向きの先端側の係止部１６ａを有する可撓性の係止ランス１６１，１６２が延長形成されている。」（段落【００１１】）
　
（２−ウ）「コネクタハウジング２の上壁７は、スペーサ６の上側の傾斜状の隔壁１０１に対向する同じ傾斜角度の傾斜面７ａと、コネクタハウジング２の前側の隔壁１４１及び係止ランス１６１の水平部１６ｂに対向する水平面７ｂと、係止ランス１６１の係止部１６ａに対向する上向きの傾斜面７ｃとを有している。傾斜面７ｃは前方の水平面７ｄに続き、水平面７ｄはコネクタハウジング２の前部開口１８に続いている。」（段落【００１３】）
　
（２−エ）「フロントホルダ４は、端子収容室３の前部を画成する四つの隔壁２２１〜２２４を高さ方向に並列に有している。最上部の隔壁２２１はコネクタハウジング２の上壁７の水平面７ｄに接して位置し、最下部の隔壁２２４はコネクタハウジング２の下壁８の薄肉部８ａに沿って位置する。中間の二つの隔壁２２２，２２３はコネクタハウジング２の後部隔壁９１，９２と同じ高さに位置する。上側の三つの隔壁２２１〜２２３は先端下部に、端子５（図３）に対するテーパガイド面（テーパガイド）２２ａを有している。」（段落【００１５】）
　
（２−オ）「図４の如くコネクタハウジング２の端子収容室３内に端子５が挿入される。図４においては一つの端子収容室３に一つの端子５を挿入する状態を便宜状三つの端子収容室３において経時的に示している。
　端子５は先ず上段の端子収容室３における如くスペーサ６の傾斜状の隔壁１０１とコネクタハウジング２の上壁７の傾斜面７ａに沿ってやや斜め上向きに挿入される。さらに、中段の端子収容室３に示す如く係止ランス１６２，１６２に沿って斜め上向きの状態で進み、上側の係止ランス１６１の撓みスペース内に端子が進入する。そして端子５の先端上部がフロントホルダ４の隔壁２２２の下向きのテーパガイド面２２ａに突き当たる。これにより、端子５が押し下げられ、係止ランス１６２が図１のＬ１寸法分だけ下向きに撓んで、下段の端子収容室３に示す如く端子５の先端部がフロントホルダ４の隔壁２２３，２２４内に案内され、端子５が正規位置にスムーズ且つ確実に挿入される。」（段落【００２０】〜【００２１】）
　
（２−カ）「また、フロントホルダ４は樹脂成形を容易化させるために用いたものであり、フロントホルダ４を用いず、コネクタハウジング２にフロントホルダ４と同様の前端壁２３と、テーパガイド面２２ａを有する隔壁２２１〜２２４を一体に形成することも可能である。」（段落【００２８】）
　
　上記記載事項について検討すると、記載（２−ア）、（２−イ）及び図４によれば、「コネクタハウジング２には、端子５を挿入可能な端子収容室３が設けられ、この端子収容室３内には、挿入される端子５に係止可能な係止ランス１６１が設けられているコネクタ１。」が示されているといえる。
　
　また、記載（２−ウ）〜（２−オ）及び図４によれば、「端子収容室３の前端部のうち係止ランス１６１との対向面には、端子収容室３内に挿入される端子５を係止ランス１６１側へ押し出して同係止ランス１６１側に変位させるための隔壁２２１が設けられ、後方の傾斜面７ｃの高さ位置から徐々に係止ランス１６１側へ向けてテーパー状に張り出したこと」が示されているといえる。
　
　また、記載（２−カ）によれば、コネクタハウジング２に隔壁２２１を一体に形成することが可能であるので、「隔壁２２１はこれより後方の傾斜面７ｃから連続して形成されること」が示されているといえる。
　
　したがって、上記記載（２−ア）〜（２−カ）の記載事項及び図示内容を総合し、本願発明の記載ぶりに則って整理すると、引用例２には、「コネクタハウジング２には、端子５を挿入可能な端子収容室３が設けられ、この端子収容室３内には、挿入される端子５に係止可能な係止ランス１６１が設けられているものにおいて、
　前記端子収容室３の前端部のうち前記係止ランス１６１との対向面には、端子収容室３内に挿入される前記端子５を係止ランス１６１側へ押し出して同係止ランス１６１側に変位させるための隔壁２２１が設けられ、この隔壁２２１はこれより後方の傾斜面７ｃから連続して形成され、同後方の傾斜面７ｃの高さ位置から徐々に係止ランス１６１側へ向けてテーパー状に張り出して設けられたコネクタ１。」が記載されているといえる。
　
４．対比 
　本願発明と引用発明とを対比すると、各文言の意味、機能または作用等からみて、引用発明の「コネクタハウジング１０」は、本願発明の「コネクタハウジング」に相当し、以下同様に、「端子金具２０」は「端子金具」に、「キャビティ１１」は「キャビティ」に、「樹脂ランス１３」は「ランス」に、「下面壁２６」は「外壁」に、「補強壁２７」は「天井壁」に、「切欠部２８」は「切欠部」に、「切欠面２９」は「切断端縁」に、「打ち出し加工」は「叩き出し」に、「抜止め突起３０」は「係止突部」に、それぞれ相当する。
 　　　 
　そこで、本願発明の用語を用いて表現すると、両者は次の点で一致する。
　
（一致点） 
「コネクタハウジングには、端子金具を挿入可能なキャビティが設けられ、このキャビティ内には、挿入される端子金具に係止可能なランスが設けられているものにおいて、
　前記端子金具のうち前記ランスに対向する外壁は、その内側に位置する天井壁の外側に重ね合わされることによって形成されるとともに、前記外壁には、前記ランスが進入するのを許容する切欠部が形成され、かつ、この切欠部における前側の切断端縁には叩き出しにより係止突部が外側へ突出して形成されることで、前記ランスが前記切欠部内に進入したときに前記ランスは前記係止突部と前記切欠部における前側の切断端縁に係止可能であるコネクタ。」 
 　 
　そして、両者は次の点で相違する。 
 　　　 
（相違点）
　本願発明では、キャビティの前端部のうちランスとの対向面には、キャビティ内に挿入される端子金具をランス側へ押し出して同ランス側に変位させるための張出部が設けられ、この張出部はこれより後方の壁面から連続して形成され、同後方の壁面の高さ位置から徐々にランス側へ向けてテーパー状に張り出し、かつその張り出し幅が前記対向面の全幅に亘るようにして設けられているのに対して、引用発明では、該張出部が設けられていない点。
　
５．判断 
　上記相違点について検討する。 
　
　本願発明と引用例２に記載された技術事項とを対比すると、各文言の意味、機能または作用等からみて、引用例２に記載された技術事項の「コネクタハウジング２」は、本願発明の「コネクタハウジング」に相当し、以下同様に、「端子５」は「端子金具」に、「端子収容室３」は「キャビティ」に、「係止ランス１６１」は「ランス」に、「隔壁２２１」は「張出部」に、「傾斜面７ｃ」は「壁面」に、「コネクタ１」は「コネクタ」に、それぞれ相当する。
　
　したがって、引用例２には、「コネクタハウジングには、端子金具を挿入可能なキャビティが設けられ、このキャビティ内には、挿入される端子金具に係止可能なランスが設けられているものにおいて、
　前記キャビティの前端部のうち前記ランスとの対向面には、キャビティ内に挿入される前記端子金具をランス側へ押し出して同ランス側に変位させるための張出部が設けられ、この張出部はこれより後方の壁面から連続して形成され、同後方の壁面の高さ位置から徐々にランス側へ向けてテーパー状に張り出したコネクタ。」が記載されていると言い換えることができる。
　
　引用発明と引用例２に記載された技術事項とは、共に、「コネクタハウジングには、端子金具を挿入可能なキャビティが設けられ、このキャビティ内には、挿入される端子金具に係止可能なランスが設けられているコネクタ。」という点で技術分野が共通しているが、当該分野において端子金具とランスとの係止代を確保することは従来周知の課題である。
　
　そして、引用例２に記載された技術事項におけるコネクタ１では、隔壁２２１によって端子５を押し下げることによって、該係止代を確保している。
　
　ところで、引用例２に記載された技術事項におけるコネクタ１の隔壁２２１の張り出し幅は明確ではないものの、該張り出し幅が大きいほど端子金具は確実に押し下げられるので、係止代の確保は確実になる。そのため、張出部の張り出し幅は最大、すなわち、対向面の全幅に亘るようにして設けることが望ましいといえる。
　
　したがって、本願発明は、引用発明において、上記従来周知の課題を解決するために、引用例２に記載された技術事項を適用し、キャビティの前端部のうちランスとの対向面には、キャビティ内に挿入される端子金具をランス側へ押し出して同ランス側に変位させるための張出部が設けられ、この張出部はこれより後方の壁面から連続して形成され、同後方の壁面の高さ位置から徐々にランス側へ向けてテーパー状に張り出し、かつその張り出し幅が前記対向面の全幅に亘るようにして設けられるようにすることは、当業者が容易になし得たものである。
　
　そして、本願発明による効果も、引用発明及び引用例２に記載された技術事項から当業者が予測し得た程度のものであって、格別のものとはいえない。 
 　 
６．むすび 
　以上のとおり、本願発明は、引用発明及び引用例２に記載された技術事項に基いて、当業者が容易に発明をすることができたものであるから、特許法第２９条第２項の規定により、特許を受けることができない。 
 　　 
　よって、結論のとおり審決する。